(57)【特許請求の範囲】
【請求項１】
可搬型センサに装着されるバッテリを測定することにより得られる前記バッテリの充電残量を示す情報を取得する第１の取得手段と、
前記バッテリが受電されてから次に充電が必要になるまでの、前記バッテリで動作する前記可搬型センサの動作時間を示す情報を取得する第２の取得手段と、
前記充電残量を示す情報と前記動作時間を示す情報とに基づいて前記バッテリの劣化状態を判定する判定手段と、
前記判定手段により判定された前記バッテリの劣化状態に基づいて前記バッテリについて警告表示を表示部に表示させる表示制御手段と、
前記可搬型センサに係る情報を管理する管理手段と、
前記バッテリに係る情報に基づいて前記バッテリの充電残量に係る値を算出し、前記バッテリの充電残量に係る値から前記バッテリに不具合が生じていないかを調査する第１の調査手段と、
前記可搬型センサに係る情報に基づいて、前記第１の調査手段により不具合が生じていると判断された前記バッテリを装着した履歴に係る値を算出し、前記バッテリを装着した履歴に係る値から前記可搬型センサに不具合が生じていないかを調査する第２の調査手段と
を有し、
前記表示制御手段は、前記第２の調査手段により前記可搬型センサに不具合が生じていると判断された場合、前記可搬型センサについて警告表示を前記表示部に表示させることを特徴とする情報処理装置。
【請求項２】
可搬型センサに装着されるバッテリを測定することにより得られる前記バッテリの充電残量を示す情報を取得する第１の取得手段と、
前記バッテリが受電されてから次に充電が必要になるまでの、前記バッテリで動作する前記可搬型センサの動作時間を示す情報を取得する第２の取得手段と、
前記充電残量を示す情報と前記動作時間を示す情報とに基づいて前記バッテリの劣化状態を判定する判定手段と、
前記判定手段により判定された前記バッテリの劣化状態に基づいて前記バッテリについて警告表示を表示部に表示させる表示制御手段と、
前記バッテリに係る情報に基づいて前記バッテリの劣化状態に係る値を算出し、前記バッテリの劣化状態に係る値から前記バッテリに不具合が生じていないかを調査する調査手段と、
前記調査手段により前記バッテリに不具合が生じていると判断された場合、ネットワークを介して前記バッテリの販売会社の通信装置に対してサービス要求通知を行う通知手段と、
前記バッテリの販売会社の所在地を管理する管理手段と
を有し、
前記表示制御手段は、前記調査手段により前記バッテリに不具合が生じていると判断された場合に、前記警告表示を前記表示部に表示させ、
前記通知手段は、前記管理手段において管理される前記バッテリの販売会社のうち、前記バッテリを装着した前記可搬型センサを備える施設と所定の位置関係にある販売会社の通信装置に対してサービス要求通知を行うことを特徴とする情報処理装置。
【請求項３】
可搬型センサに装着されるバッテリを測定することにより得られる前記バッテリの充電残量を示す情報を取得する第１の取得手段と、
前記バッテリが受電されてから次に充電が必要になるまでの、前記バッテリで動作する前記可搬型センサの動作時間を示す情報を取得する第２の取得手段と、
前記充電残量を示す情報と前記動作時間を示す情報とに基づいて前記バッテリの劣化状態を判定する判定手段と、
前記判定手段により判定された前記バッテリの劣化状態に基づいて前記バッテリについて警告表示を表示部に表示させる表示制御手段と、
前記バッテリに係る情報に基づいて前記バッテリの充電残量に係る値を算出し、前記バッテリの充電残量に係る値から前記バッテリに不具合が生じていないかを調査する調査手段と、
前記調査手段により前記バッテリに不具合が生じていると判断された場合、ネットワークを介して前記バッテリの販売会社の通信装置に対してサービス要求通知を行う通知手段と、
前記バッテリの販売会社の所在地を管理する管理手段と
を有し、
前記表示制御手段は、前記調査手段により前記バッテリに不具合が生じていると判断された場合に、前記警告表示を前記表示部に表示させ、
前記通知手段は、前記管理手段において管理される前記バッテリの販売会社のうち、前記バッテリを装着した前記可搬型センサを備える施設と所定の位置関係にある販売会社の通信装置に対してサービス要求通知を行うことを特徴とする情報処理装置。
【請求項４】
可搬型センサに装着されるバッテリを測定することにより得られる前記バッテリの充電残量を示す情報を取得する第１の取得手段と、
前記バッテリが受電されてから次に充電が必要になるまでの、前記バッテリで動作する前記可搬型センサの動作時間を示す情報を取得する第２の取得手段と、
前記充電残量を示す情報と前記動作時間を示す情報とに基づいて前記バッテリの劣化状態を判定する判定手段と、
前記判定手段により判定された前記バッテリの劣化状態に基づいて前記バッテリについて警告表示を表示部に表示させる表示制御手段と、
前記可搬型センサに係る情報を管理する第１の管理手段と、
前記可搬型センサに係る情報に基づいて、前記可搬型センサに不具合が生じていないかを調査する第１の調査手段と、
前記第１の調査手段により前記可搬型センサに不具合が生じていると判断された場合、ネットワークを介して前記可搬型センサの販売会社の通信装置に対してサービス要求通知を行う通知手段と、
前記可搬型センサの販売会社の所在地を管理する第２の管理手段と
を有し、
前記表示制御手段は、前記第１の調査手段により前記可搬型センサに不具合が生じていると判断された場合、前記可搬型センサについて警告表示を前記表示部に表示させ、
前記通知手段は、前記第２の管理手段において管理される前記可搬型センサの販売会社のうち、前記バッテリを装着した前記可搬型センサを備える施設と所定の位置関係にある販売会社の通信装置に対してサービス要求通知を行うことを特徴とする情報処理装置。
【請求項５】
前記バッテリに係る情報に基づいて前記バッテリの劣化状態に係る値を算出し、前記バッテリの劣化状態に係る値から前記バッテリに不具合が生じていないかを調査する第２の調査手段をさらに有し、
前記第１の調査手段は、前記可搬型センサに係る情報に基づいて、前記第２の調査手段により不具合が生じていると判断された前記バッテリを装着した履歴に係る値を算出し、前記バッテリを装着した履歴に係る値から前記可搬型センサに不具合が生じていないかを調査することを特徴とする請求項４に記載の情報処理装置。
【請求項６】
可搬型センサに装着されるバッテリに係る情報を管理する第１の管理手段と、
前記バッテリに係る情報に基づいて、前記バッテリに不具合が生じていないかを調査する第１の調査手段と、
前記可搬型センサに係る情報を管理する第２の管理手段と、
前記可搬型センサに係る情報に基づいて、前記第１の調査手段により不具合が生じていると判断された前記バッテリを装着した履歴に係る値を算出し、前記バッテリを装着した履歴に係る値から前記可搬型センサに不具合が生じていないかを調査する第２の調査手段と、
前記第１の調査手段により前記バッテリに不具合が生じていると判断された場合、及び前記第２の調査手段により前記可搬型センサに不具合が生じていると判断された場合に、警告を行う警告手段と
を有することを特徴とする情報処理装置。
【請求項７】
可搬型センサに装着されるバッテリに係る情報を管理する第１の管理手段と、
前記バッテリに係る情報に基づいて、前記バッテリに不具合が生じていないかを調査する第１の調査手段と、
前記第１の調査手段により前記バッテリに不具合が生じていると判断された場合、警告を行う警告手段と、
前記第１の調査手段により前記バッテリに不具合が生じていると判断された場合、ネットワークを介して前記バッテリの販売会社の通信装置に対してサービス要求通知を行う通知手段と、
前記バッテリの販売会社の所在地を管理する第２の管理手段と
を有し、
前記通知手段は、前記第２の管理手段において管理される前記バッテリの販売会社のうち、前記バッテリを装着した前記可搬型センサを備える施設と所定の位置関係にある販売会社の通信装置に対してサービス要求通知を行うことを特徴とする情報処理装置。
【請求項８】
前記第１の管理手段は、可搬型センサに装着されるバッテリを測定することにより得られる前記バッテリの充電残量を示す情報及び前記バッテリが受電されてから次に充電が必要になるまでの、前記バッテリで動作する前記可搬型センサの動作時間を示す情報を、前記バッテリに係る情報として管理することを特徴とする請求項７に記載の情報処理装置。
【請求項９】
可搬型センサに装着されるバッテリに係る情報を管理する第１の管理手段と、
前記バッテリに係る情報に基づいて、前記バッテリに不具合が生じていないかを調査する第１の調査手段と、
前記可搬型センサに係る情報を管理する第２の管理手段と、
前記可搬型センサに係る情報に基づいて、前記可搬型センサに不具合が生じていないかを調査する第２の調査手段と、
前記第１の調査手段により前記バッテリに不具合が生じていると判断された場合、及び前記第２の調査手段により前記可搬型センサに不具合が生じていると判断された場合に、警告を行う警告手段と、
前記第２の調査手段により前記可搬型センサに不具合が生じていると判断された場合、ネットワークを介して前記可搬型センサの販売会社の通信装置に対してサービス要求通知を行う通知手段と、
前記可搬型センサの販売会社の所在地を管理する第３の管理手段と
を有し、
前記通知手段は、前記第３の管理手段において管理される前記可搬型センサの販売会社のうち、前記バッテリを装着した前記可搬型センサを備える施設と所定の位置関係にある販売会社の通信装置に対してサービス要求通知を行うことを特徴とする情報処理装置。
【請求項１０】
前記第１の管理手段は、可搬型センサに装着されるバッテリを測定することにより得られる前記バッテリの充電残量を示す情報及び前記バッテリが受電されてから次に充電が必要になるまでの、前記バッテリで動作する前記可搬型センサの動作時間を示す情報を、前記バッテリに係る情報として管理することを特徴とする請求項９に記載の情報処理装置。
【請求項１１】
情報処理装置が実行する情報処理方法であって、
可搬型センサに装着されるバッテリを測定することにより得られる前記バッテリの充電残量を示す情報を取得する第１の取得ステップと、
前記バッテリが受電されてから次に充電が必要になるまでの、前記バッテリで動作する前記可搬型センサの動作時間を示す情報を取得する第２の取得ステップと、
前記充電残量を示す情報と前記動作時間を示す情報とに基づいて前記バッテリの劣化状態を判定する判定ステップと、
前記判定ステップにおいて判定された前記バッテリの劣化状態に基づいて前記バッテリについて警告表示を表示部に表示させる表示制御ステップと、
前記可搬型センサに係る情報を管理する管理ステップと、
前記バッテリに係る情報に基づいて前記バッテリの充電残量に係る値を算出し、前記バッテリの充電残量に係る値から前記バッテリに不具合が生じていないかを調査する第１の調査ステップと、
前記可搬型センサに係る情報に基づいて、前記第１の調査ステップにおいて不具合が生じていると判断された前記バッテリを装着した履歴に係る値を算出し、前記バッテリを装着した履歴に係る値から前記可搬型センサに不具合が生じていないかを調査する第２の調査ステップと
を含み、
前記表示制御ステップでは、前記第２の調査ステップにおいて前記可搬型センサに不具合が生じていると判断された場合、前記可搬型センサについて警告表示を前記表示部に表示させることを特徴とする情報処理方法。
【請求項１２】
情報処理装置が実行する情報処理方法であって、
可搬型センサに装着されるバッテリに係る情報を管理する第１の管理ステップと、
前記バッテリに係る情報に基づいて、前記バッテリに不具合が生じていないかを調査する第１の調査ステップと、
前記可搬型センサに係る情報を管理する第２の管理ステップと、
前記可搬型センサに係る情報に基づいて、前記第１の調査ステップにおいて不具合が生じていると判断された前記バッテリを装着した履歴に係る値を算出し、前記バッテリを装着した履歴に係る値から前記可搬型センサに不具合が生じていないかを調査する第２の調査ステップと、
前記第１の調査ステップにおいて前記バッテリに不具合が生じていると判断された場合、及び前記第２の調査ステップにおいて前記可搬型センサに不具合が生じていると判断された場合に、警告を行う警告ステップと
を含むことを特徴とする情報処理方法。
【請求項１３】
情報処理装置が実行する情報処理方法であって、
可搬型センサに装着されるバッテリに係る情報を管理する第１の管理ステップと、
前記バッテリに係る情報に基づいて、前記バッテリに不具合が生じていないかを調査する第１の調査ステップと、
前記第１の調査ステップにおいて前記バッテリに不具合が生じていると判断された場合、警告を行う警告ステップと、
前記第１の調査ステップにおいて前記バッテリに不具合が生じていると判断された場合、ネットワークを介して前記バッテリの販売会社の通信装置に対してサービス要求通知を行通知ステップと、
前記バッテリの販売会社の所在地を管理する第２の管理ステップと
を含み、
前記通知ステップでは、前記第２の管理ステップにおいて管理される前記バッテリの販売会社のうち、前記バッテリを装着した前記可搬型センサを備える施設と所定の位置関係にある販売会社の通信装置に対してサービス要求通知を行うことを特徴とする情報処理方法。
【請求項１４】
情報処理装置が実行する情報処理方法であって、
可搬型センサに装着されるバッテリに係る情報を管理する第１の管理ステップと、
前記バッテリに係る情報に基づいて、前記バッテリに不具合が生じていないかを調査する第１の調査ステップと、
前記可搬型センサに係る情報を管理する第２の管理ステップと、
前記可搬型センサに係る情報に基づいて、前記可搬型センサに不具合が生じていないかを調査する第２の調査ステップと、
前記第１の調査ステップにおいて前記バッテリに不具合が生じていると判断された場合、警告を行い、前記第２の調査ステップにおいて前記可搬型センサに不具合が生じていると判断された場合、警告を行う警告ステップと、
前記第２の調査ステップにおいて前記可搬型センサに不具合が生じていると判断された場合、ネットワークを介して前記可搬型センサの販売会社の通信装置に対してサービス要求通知を行う通知ステップと、
前記可搬型センサの販売会社の所在地を管理する第３の管理ステップと
を含み、
前記通知ステップは、前記第３の管理ステップにおいて管理される前記可搬型センサの販売会社のうち、前記バッテリを装着した前記可搬型センサを備える施設と所定の位置関係にある販売会社の通信装置に対してサービス要求通知を行うことを特徴とする情報処理方法。
【請求項１５】
コンピュータに、請求項１１乃至１４の何れか１項に記載の情報処理方法の各ステップを実行させるためのプログラム。
【発明の詳細な説明】
【技術分野】
【０００１】
本発明は、可搬型センサに装着されるバッテリの不具合を調査する技術に関するものである。
【背景技術】
【０００２】
近年、放射線を直接デジタルデータに変換可能であるＦＰＤ（Flat Panel Detector）等のＸ線検出器が実用化されている。そして、このＸ線検出器を用いて、照射されたＸ線により画像データを撮影する可搬型のカセッテ式センサ（以下、可搬型センサと称す）が実用化されている。なお、可搬型センサには、Ｘ線を変換する方式として、Ｘ線をシンチレータで光に変換した後にフォトダイオード等の半導体層で電荷に変換する間接変換方式がある。また、Ｘ線をアモルファスシリコン等の半導体層で電荷に変換する直接変換方式等があり、各方式でも半導体層に使用可能な材料が種々存在する。
【０００３】
この可搬型センサは、当初、電力源と可搬型センサ自体とをケーブルで接続することで電力が供給されていた。しかし、撮影システムで求められる様々な撮影手技に対応するためにはケーブルのように可搬型センサの移動距離が限られている場合は困難な手技が存在した。例えば、同じ患者に対して要求された複数の検査を一度に実施する場合、撮影手技で求められる患者の姿勢体位が臥位と立位であった場合、臥位では可搬型センサは天板の下に設置することが必要となる。また、立位の場合では天板付近に設置されているスタンドに取り付けて撮影することが必要となる。近年は、このように複数の姿勢体位による撮影を１つのＸ線撮影室で行うことを目的としたMerged Room（マージドルーム）と呼ばれる撮影室の形態も普及している。
【０００４】
このような多種多様な撮影手技に対応するためには、ケーブルによって電力源と接続された形態のカセッテ式センサでは１つで賄いきれない場合が多いため、上述したように充電バッテリを装着して動作可能である可搬型センサが近年普及している。
【０００５】
可搬型センサに装着される充電バッテリとしては、ニッケル・カドミウム電池、ニッケル水素電池、リチウム・イオン電池等が使用される。但し、可搬型センサを使用することにより様々なメリットが生じるが、その一方でデメリットも存在する。可搬型センサの動作に必要な電力は充電バッテリのみで賄うため、充電バッテリの充電が切れてしまった時点で動作不可能となる。そのため、充電残量が少なくなっているにも関わらず撮影を行っていると思わぬタイミングで撮影がストップしてしまい、目的とする画像を取得することができず、且つ患者への無駄な被爆といった問題も生じる。
【０００６】
これに対し、特許文献１には、センサユニットに充電バッテリとその充電バッテリに取りつけられた充電端子とを設け、センサユニットを移動型のテーブルに設置しておくことで検査と検査との間に生じる待機時間に充電する技術が開示されている。
【０００７】
また、次なる問題として、充電バッテリの経時的な劣化が挙げられる。充電バッテリは使用した時間に応じて消費電力が上昇し、一回の充電で使用可能な持続時間が短くなっていく。この劣化状況は充電バッテリを使用していても感覚的に分かる情報ではない。劣化した充電バッテリは使用持続時間が短くなるため、頻繁に充電が必要となり、撮影技師のワークフローが煩雑となる。また、上述した検査実施中に充電が切れてしまう危険性もより上がってしまう。
【０００８】
このような問題を解決する方法としては、充電バッテリを新しく取りかえることが必要となる。特許文献２には、複数の充電バッテリを使用している際に各充電バッテリの劣化の度合いを検出し、検査で実施予定の撮影回数に応じてどの充電バッテリを使用するべきかを決定し、ユーザに提示する技術が開示されている。
【先行技術文献】
【特許文献】
【０００９】
【特許文献１】特開２００１−２５２２６６号公報
【特許文献２】特開２０１０−２３７５８０号公報
【発明の概要】
【発明が解決しようとする課題】
【００１０】
しかしながら、充電バッテリには通常時の平均的な経時劣化以外にも劣化する要因が考えられる。仮に、使用している充電バッテリにいずれかの不具合が生じている場合は、平均よりも早いペースで劣化していくことも考えられる。また、場合によっては充電バッテリを装着している可搬型センサ側に不具合が生じることで充電バッテリの劣化を早めることも考えられる。
【００１１】
このような問題に対して、特許文献１に開示された技術では、劣化状況が判断できないため、仮に不具合が生じている充電バッテリであったとしても充電してしまい、劣化状況の悪化を加速させてしまう。また、特許文献２に開示された技術では、例え劣化度合いが他の充電バッテリよりも早く通知されたとしても、撮影回数が少ない検査においてその充電バッテリの使用が提示されるのみであり、根本的な解決とはならない問題が生じる。
【００１２】
不具合の疑いがある充電バッテリに対しては、販売会社又はサービス会社の点検が不可欠であり、場合によっては交換の必要が生じる。特に、中小規模の撮影施設等、使用されている可搬型センサと充電バッテリとのセット数が少ない施設においては、その中に不具合の疑いがある充電バッテリ等が含まれていることは非常に大きな問題となり、一刻も早い対応が必要となる。
【００１３】
そこで、本発明の目的は、不具合の疑いがあるバッテリをそのまま使用してしまうことを防ぐことにある。
【課題を解決するための手段】
【００１４】
本発明の情報処理装置は、可搬型センサに装着されるバッテリを測定することにより得られる前記バッテリの充電残量を示す情報を取得する第１の取得手段と、前記バッテリが受電されてから次に充電が必要になるまでの、前記バッテリで動作する前記可搬型センサの動作時間を示す情報を取得する第２の取得手段と、前記充電残量を示す情報と前記動作時間を示す情報とに基づいて前記バッテリの劣化状態を判定する判定手段と、前記判定手段により判定された前記バッテリの劣化状態に基づいて前記バッテリについて警告表示を表示部に表示させる表示制御手段と、前記可搬型センサに係る情報を管理する管理手段と、前記バッテリに係る情報に基づいて前記バッテリの充電残量に係る値を算出し、前記バッテリの充電残量に係る値から前記バッテリに不具合が生じていないかを調査する第１の調査手段と、前記可搬型センサに係る情報に基づいて、前記第１の調査手段により不具合が生じていると判断された前記バッテリを装着した履歴に係る値を算出し、前記バッテリを装着した履歴に係る値から前記可搬型センサに不具合が生じていないかを調査する第２の調査手段とを有し、前記表示制御手段は、前記第２の調査手段により前記可搬型センサに不具合が生じていると判断された場合、前記可搬型センサについて警告表示を前記表示部に表示させることを特徴とする。
【発明の効果】
【００１５】
本発明によれば、不具合の疑いがあるバッテリをそのまま使用してしまうことを防ぐことができる。
【図面の簡単な説明】
【００１６】
【図１】本発明の第１の実施形態に係る医用画像撮影システムの構成を示す図である。
【図２】バッテリ情報テーブルの例を示す図である。
【図３】検査情報テーブルの例を示す図である。
【図４】本発明の実施形態に係る医用画像撮影システムを用いた検査方法の例を示す図である。
【図５】本発明の実施形態に係る医用画像撮影システムを用いた検査方法の他の例を示す図である。
【図６】本発明の第１の実施形態に係る医用画像撮影システムの処理を示すフローチャートである。
【図７】本発明の第２の実施形態に係る医用画像撮影システムの構成を示す図である。
【図８】センサ情報テーブルの例を示す図である。
【図９】本発明の第２の実施形態に係る医用画像撮影システムの処理を示すフローチャートである。
【図１０】本発明の第３の実施形態に係る医用画像撮影システムの構成を示す図である。
【発明を実施するための形態】
【００１７】
以下、本発明を適用した好適な実施形態を、添付図面を参照しながら詳細に説明する。
【００１８】
先ず、本発明の第１の実施形態について説明する。図１は、本発明の第１の実施形態に係る医用画像撮影システムの構成を示す図である。図１に示すように、第１の実施形態に係る医用画像撮影システムでは、充電バッテリ１０１、可搬型センサ１０２及び医用画像撮影装置１０３がネットワークを介して通信を行う。なお、医用画像撮影装置１０３は情報処理装置の適用例となる構成である。
【００１９】
先ず、充電バッテリ１０１の構成について説明する。充電バッテリ１０１内の送受信部１０４は、可搬型センサ１０２内の送受信部１０６と通信を行う構成であり、特にバッテリ情報を送信する。ここでバッテリ情報とは、充電バッテリ１０１を一意に識別可能であるシリアルナンバ、充電バッテリ１０１の製造メーカ及び充電バッテリ１０１の寸法等、充電バッテリ１０１特有の情報である。その他、バッテリ情報には、充電バッテリ１０１が充電された直近の日付情報（前回充電日時）や充電残量情報が含まれる。充電残量情報とは、最大充電量と現在の充電量との比で示される値である。なお、送受信部１０４は、組み込みの通信機器及びそれを制御するファームウェア等から構成される。充電情報管理部１０５は、主に充電バッテリ１０１における充電残量を計測したり、充電した日付情報（充電日時）を管理する。バッテリ情報は、送受信部１０４によって可搬型センサ１０２に対して送信される。なお、充電残量の計測は、主に充電バッテリ１０１が可搬型センサ１０２に取り付けられたタイミングで実施されるが、それ以外にも可搬型センサ１０２の電源が入れられたタイミング等で実施してもよく、計測のタイミングは特に限定されない。また、充電情報管理部１０５内のメモリ領域に充電残量情報を保持しておくことで、充電残量の計測直後でなくても後から送受信部１０４に対して充電残量情報を通知することも可能である。
【００２０】
次に、可搬型センサ１０２の構成について説明する。可搬型センサ１０２内の送受信部１０６は、充電バッテリ１０１内の送受信部１０４及び医用画像撮影装置１０３内の送受信部１０９の両方と通信を行う構成であり、主に充電バッテリ毎のバッテリ情報や検査実施情報の送受信を行う。なお、送受信部１０６は、組み込みの通信機器及びそれを制御するファームウェア等から構成される。画像データ管理部１０７は、可搬型センサ１０２によって撮影された画像データを保存及び管理する。可搬型センサ１０２によって撮影された画像データは、画像データ管理部１０７において補正処理が施され、送受信部１０６を介して医用画像撮影装置１０３に対して送信される。このとき、帯域中のノイズによって無線ネットワークがうまく繋がらず、画像データの送信を失敗するケースがある。そのため、画像データ管理部１０７は、画像データ送信後も次回の撮影が行われるまでは画像データを保存しておき、再送要求を受信した際に確実に再送を行うようにする。バッテリ情報取得部１０８は、可搬型センサ１０２に取り付けられている充電バッテリ１０１の充電残量情報を取得し、保持する。即ち、バッテリ情報取得部１０８は、可搬型センサ１０２の電源が入れられると、送受信部１０６に対してバッテリ情報の通知要求を行うよう指示する。但し、バッテリ情報の通知要求を行うタイミングはこれに限らない、例えば医用画像撮影装置１０３からバッテリ情報の通知が要求された場合等、外部からの指示に応じてバッテリ情報の通知要求を行ってもよい。バッテリ情報取得部１０８はバッテリ情報を受信すると、内部のメモリ領域に保存する。
【００２１】
次に、医用画像撮影装置１０３の構成について説明する。医用画像撮影装置１０３内の送受信部１０９は、可搬型センサ１０２内の送受信部１０６と通信を行う構成であり、主に充電バッテリ毎のバッテリ情報や検査実施情報を受信したり、各情報の通知要求を送信したりする。なお、送受信部１０９は、イーサネット（登録商標）等の各種ネットワークにて実現される。画像表示部１１６は、可搬型センサ１０２によって取得された画像データが表示されるディスプレイ機器である。その他にも、画像表示部１１６は、医用画像撮影装置１０３に対してオペレーションするための制御用グラフィックユーザインタフェース（以下、ＧＵＩと称す）を表示する。オペレータによるＧＵＩ上での操作によって、画像データ取得後の検像、画像処理及び外部への画像データ送信等、様々な処理が可能となる。バッテリ情報管理部１１０は、バッテリ情報テーブル１１２を使用してバッテリ情報を一元管理する。
【００２２】
図２は、バッテリ情報テーブル１１２の例を示す図である。図２に示すように、バッテリ情報テーブル１１２には、各充電バッテリのシリアルナンバ、充電残量情報及び製造メーカ等のバッテリ情報が保存されている。その他、バッテリ情報テーブル１１２には、充電バッテリ１０１の劣化状態又は不具合を判断するために、平均電源オン時間、前回充電日時、前回充電時からの総電源オン時間、使用開始時からの総電源オン時間、及び、充電回数が保持されている。平均電源オン時間とは、充電してから次の充電が必要になるまでの総電源オン時間の平均である。なお、その他の情報をバッテリ情報テーブル１１２に保存することも可能である。また、本実施形態においては、充電バッテリをシリアルナンバで管理している。これにより、施設内で使用されている充電バッテリ全てを一意に特定することが可能である。なお、バッテリ情報テーブル１１２で管理される各情報は、第１の管理手段において管理されるバッテリ情報に係る情報の一例である。
【００２３】
電源オン時間カウント部１１１は、バッテリ情報管理部１１０より可搬型センサ１０２の電源オン／オフ切り替えの通知、及び、その際に装着されていた充電バッテリ１０１のバッテリ情報を入力する。そして電源オン時間カウント部１１１は、可搬型センサ１０２が電源オン状態となった時間をカウントする。また、電源オン時間カウント部１１１は、充電バッテリ１０１の電源がオフになったタイミングでバッテリ情報管理部１１０に対してカウントした時間を通知する。検査情報管理部１１４は、医用画像撮影装置１０３における検査実施情報を、検査情報テーブル１１５を使用して一元管理する。図３は検査情報テーブル１１５の例を示す図である。図３に示すように、検査情報テーブル１１５には、使用された充電バッテリ１０１のシリアルナンバ、検査を一意に特定するための検査Ｎｏ、検査実施中に可搬型センサ１０２を電源オンにしていた合計時間（電源オン時間）、及び、検査で実施された撮影手技が含められる。なお、その他の情報が検査情報テーブル１１５に保存されてもよい。
【００２４】
バッテリ不具合判断部１１３は、バッテリ情報管理部１１０及び検査情報管理部１１４からバッテリ情報及び検査実施情報を取得し、充電バッテリ１０１に不具合の疑いがないかを調査する。充電バッテリ１０１に不具合の疑いがある場合、画像表示部１１６は警告表示を行う。以上のように、本実施形態においては、充電バッテリ１０１に関して不具合の調査が随時実施され、充電バッテリ１０１に不具合の疑いがある場合、速やかにオペレータに対して通知される。
【００２５】
図４は、本実施形態に係る医用画像撮影システムを用いた検査方法の例を示す図である。図４に示すように、Ｘ線撮影の被験者を臥位で撮影する場合、被験者は天板４０８に横たわった状態で撮影される。可搬型センサ１０２は、充電バッテリ１０１が取り付けられることで動作可能となる。なお、図４では、可搬型センサ１０２と充電バッテリ１０１とを区別するために線で繋いだ状態で示しているが、実際は、充電バッテリ１０１は可搬型センサ１０２の内部に取り付けられている。可搬型センサ１０２はワイヤレスステーション４０３と無線ネットワークとを使用して通信を行う。臥位で撮影を行う場合は、可搬型センサ１０２は一般的に天板４０８の内部に設置されたり、天板４０８と被験者との間に置かれる。一方で、ワイヤレスステーション４０３は、Ｘ線発生装置４０４及び医用画像撮影装置１０３と接続され、Ｘ線撮影に関する情報をやり取りする。Ｘ線発生装置４０４にはＸ線管球４０５及び照射スイッチ４０６が接続されている。照射スイッチ４０６が押下されると、Ｘ線発生装置４０４は、Ｘ線管球４０５にＸ線を発射するよう要求することにより、Ｘ線管球４０５からＸ線が照射される。その結果、可搬型センサ１０２によって画像データが生成され、無線ネットワークを介して医用画像撮影装置１０３に送信される。医用画像撮影装置１０３は、可搬型センサ１０２から送信された画像データを画像表示部１１６に表示する。
【００２６】
図５は、本実施形態に係る医用画像撮影システムを用いた検査方法の他の例を示す図である。なお、図５において、図４に示した構成と同一の構成は、図４と同一の符合を付してある。図５に示す構成では、Ｘ線撮影の被験者を立位で撮影する場合、被験者は可搬型センサ１０２が設置された立位スタンド５０８とＸ線管球４０５との間に立った状態で撮影される。但し、この場合、図５に示すようにＸ線管球４０５は正しく立位スタンドの正面から照射できるようメーカ連動によって照射方向が変更される。
【００２７】
次に、図６に示すフローチャートを参照しながら、第１の実施形態に係る医用画像撮影システムの処理について説明する。ここでは、医用画像撮影システムを起動させてから検査が終了するまでの処理について説明する。
【００２８】
ステップＳ６０１において、充電バッテリ１０１が可搬型センサ１０２に取り付けられることにより、充電バッテリ１０１の充電情報管理部１０５は充電残量を計測する。ステップＳ６０２において、充電残量管理部１０５は計測した充電残量を示す充電残量情報を保持する。ステップＳ６１１において、充電バッテリ１０１が取り付けられた可搬型センサ１０２は、オペレータによって電源が入れられる。ステップＳ６１２において、可搬型センサ１０２のバッテリ情報取得部１０８は、バッテリ情報の通知を充電バッテリ１０１に対して要求する。ステップＳ６０３において、充電バッテリ１０１の充電情報管理部１０５は、可搬型センサ１０２からバッテリ情報の通知要求を受け付ける。ステップＳ６０４において、充電情報管理部１０５は、可搬型センサ１０２に対してバッテリ情報を送信する。ステップＳ６１３において、可搬型センサ１０２は、充電バッテリ１０１からバッテリ情報を受信する。ステップＳ６１４において、可搬型センサ１０２は、バッテリ情報に含まれる充電バッテリ１０１のシリアルナンバ及び前回充電日時を医用画像撮影装置１０３に対して送信する。ステップＳ６２１において、医用画像撮影装置１０３は、可搬型センサ１０２から充電バッテリ１０１のシリアルナンバ及び前回充電日時を受信する。
【００２９】
ステップＳ６２２において、電源オン時間カウント部１１１はカウントを開始する。ステップＳ６２３において、バッテリ情報管理部１１０は、充電バッテリ１０１から取得された前回充電日時と、バッテリ情報テーブル１１２内において当該シリアルナンバに対応付けて記録されている前回充電日時とを比較する。これにより、バッテリ情報管理部１１０は、バッテリ情報テーブル１１２内において最新の前回充電日時に更新されているか否かを判定する。充電バッテリ１０１から取得された前回充電日時と、バッテリ情報テーブル１１２内に記録されている前回充電日時とが同じである場合、バッテリ情報テーブル１１２内において最新の前回充電日時に更新されているものとして、処理はステップＳ６２５に移行する。一方、充電バッテリ１０１から取得された前回充電日時と、バッテリ情報テーブル１１２内に記録されている前回充電日時とが異なる場合、バッテリ情報テーブル１１２内において最新の前回充電日時に更新されていないものとして、処理はステップＳ６２４に移行する。ステップＳ６２４において、バッテリ情報管理部１１０は、バッテリ情報テーブル１１２内の前回充電日時を、充電バッテリ１０１から取得された前回充電日時に更新する。
【００３０】
ところで、可搬型センサ１０２は、ステップＳ６１４において充電バッテリ１０１のシリアルナンバ及び前回充電日時を送信した後、ステップＳ６１５において充電バッテリ１０１のシリアルナンバ及び充電残量情報を送信する。ステップＳ６２５において、医用画像撮影装置１０３は、可搬型センサ１０２から充電バッテリ１０１のシリアルナンバ及び充電残量情報を受信する。ステップＳ６２６において、バッテリ情報テーブル１１２において当該シリアルナンバに対応付けて記録される充電残量情報を、ステップＳ６２５で受信した充電残量情報で更新する。
【００３１】
ステップＳ６２７において、バッテリ情報管理部１１０は、更新後の充電残量情報で示される充電残量が、所定の値未満であるか否かを判定する。充電残量が所定の値未満である場合、処理はステップＳ６２８に移行する。一方、充電残量が所定の値以上である場合、ステップＳ６２８をスキップして処理はステップＳ６２９に移行する。ステップＳ６２８において、画像表示部１１６は、充電バッテリ１０１の充電又は交換を促す警告を表示する。なお、ここで警告表示を行うか否かを判定するための上記所定の値（最大充電量に対する所定の割合）として、任意に設定された値が用いられる。
【００３２】
ステップＳ６２９において、バッテリ不具合判断部１１３は、バッテリ情報テーブル１１２及び検査情報テーブル１１５を参照することにより、充電バッテリ１０１に不具合が生じているかを調査する。ここで、充電バッテリ１０１に不具合が生じているかを調査する処理について説明する。充電バッテリ１０１の不具合の調査は、劣化状態を用いた調査と充電残量を用いた調査との２つに区別される。先ず、劣化状態を用いた調査について説明する。バッテリ不具合判断部１１３は、バッテリ情報テーブル１１２から充電バッテリ１０１の「総合電源オン時間ｍ」及び「充電回数ｎ」を取得する。次にバッテリ不具合判断部１１３は、不具合度数ａとしてａ＝ｍ×ｎの式より不具合度数（充電バッテリ１０１の劣化状態に関する値）を算出する。バッテリ不具合判断部１１３は、算出した不具合度数ａと、これまで劣化状態が危険となった充電バッテリ１０１で求められた不具合度数の平均値ａ´とを比較する。ａの値がａ´未満である場合、バッテリ不具合判断部１１３は何らかの不具合によって充電バッテリ１０１が急速に劣化したと判断する。なお、ステップＳ６２９は、第１の調査手段の処理例である。
【００３３】
次に、充電残量を用いた調査について説明する。充電バッテリ１０１より充電残量情報が通知されてきた場合、バッテリ不具合判断部１１３は、充電残量が所定の値より低くなった充電バッテリ１０１について、バッテリ情報テーブル１１２から、対応する充電バッテリ１０１の「平均電源オン時間Ｍ」と「前回充電時からの総電源オン時間Ｓ」とを取得する。次に、バッテリ不具合判断部１１３は、ｂ＝Ｍ／Ｓの式より不具合度数（充電バッテリ１０１の充電残量に関する値）ｂを算出する。バッテリ不具合判断部１１３は、算出した不具合度数ｂと、これまで劣化状態が危険となった充電バッテリ１０１で求められた不具合度数の平均値ｂ´とを比較する。その結果、ｂの値がｂ´よりも大きい場合、バッテリ不具合判断部１１３は何らかの不具合によって充電バッテリ１０１が急速に劣化したと判断する。
【００３４】
調査の結果、充電バッテリ１０１に不具合が生じている場合、処理はステップＳ６３１に移行する。一方、充電バッテリ１０１に不具合が生じていない場合、ステップＳ６３１をスキップして処理はステップＳ６３２に移行する。ステップＳ６３１において、画像表示部１１６は、充電バッテリ１０１に不具合が生じていることを警告する画面を表示する。
【００３５】
ステップＳ６３２において、医用画像撮影装置１０３は、検査開始の指示が入力されることにより、検査を開始するための処理を行う。ステップＳ６３３において、医用画像撮影装置１０３は、Ｘ線撮影を制御する。ステップＳ６３４において、医用画像撮影装置１０３は、検査終了の指示が入力されることにより、検査を終了するための処理を行う。ステップＳ６３５において、医用画像撮影装置１０３の検査情報管理部１１４は、当該検査で実際に使用された充電バッテリ１０１のシリアルナンバ、検査Ｎｏ、検査中の電源オン時間、実施した撮影手技等の情報で検査情報テーブル１１５を更新する。検査情報テーブル１１５が更新された後、処理はステップＳ６２５に戻り、再び次の検査へ向けて同様の処理が行われる。
【００３６】
次に、本発明の第２の実施形態について説明する。図７は、本発明の第２の実施形態に係る医用画像撮影システムの構成を示す図である。なお、図７において、図１と同様の構成については、図１と同じ符号が付してある。
【００３７】
可搬型センサ７０２のセンサ稼動情報管理部７０４は、可搬型センサ７０２のセンサ稼動情報や撮影実施情報を保存して管理する。ここでセンサ稼動情報とは、可搬型センサ７０２の電源が入れられた時刻及び電源が切られた時刻や、可搬型センサ７０２のステータス毎の継続時間（例えば、照射可能ステータスの継続時間が３時間）等を示す情報である。撮影実施情報とは、撮影時の管電圧、管電流、照射時間、使用された可搬型センサ７０２、及び、使用された充電バッテリ１０１等を示す情報である。医用画像撮影装置７０３のセンサ情報管理部７０６は、使用された可搬型センサ７０２に関する情報を、センサ情報テーブル７０７を使用して一元管理する。
【００３８】
図８は、センサ情報テーブル７０７の例を示す図である。センサ情報テーブル７０７には、可搬型センサ７０２を一意に特定するためのシリアルナンバ、装着された充電バッテリ１０１に不具合が生じた回数である不具合カウント数、不具合カウント数が前回足された日時（前回不具合カウント日時）、及び、不具合カウント数を加算した時間間隔の平均値である平均不具合カウント時間を含む。なお、その他の情報がセンサ情報テーブル７０７に保存されていてもよい。センサ・バッテリ不具合判断部７０５は、バッテリ情報テーブル１１２、センサ情報テーブル７０７及び検査情報テーブル１１５を参照することにより、登録されている各充電バッテリ又は各可搬型センサに不具合の疑いがないかを調査する。不具合の疑いがある充電バッテリ１０１又は可搬型センサ７０２が存在する場合、画像表示部１１６は警告表示を行う。以上のように、本実施形態においては、充電バッテリ１０１及び可搬型センサ７０２の不具合の判断が随時実施され、不具合の疑いがある場合には、速やかにオペレータに対して通知される。なお、センサ情報テーブル７０７において管理される各情報は、第２の管理手段において管理される可搬型センサに係る情報の一例である。
【００３９】
次に、図９に示すフローチャートを参照しながら、第２の実施形態に係る医用画像撮影システムの処理について説明する。但し、図９におけるステップＳ６０１〜Ｓ６０４、ステップＳ６１１〜Ｓ６１５、ステップＳ６２１〜Ｓ６３５は、図６に示す同一符号の処理と同様であるため、それらについての説明は省略する。
【００４０】
ステップＳ９０１において、センサ・バッテリ不具合判断部７０５は、センサ情報テーブル７０７及び検査情報テーブル１１５を参照し、可搬型センサ７０２に不具合が生じていないかを調査する。以下、可搬型センサ７０２の不具合の調査方法について説明する。
【００４１】
可搬型センサ７０２に関しては、センサ情報テーブル７０７にて検査毎に使用された可搬型センサ７０２と充電バッテリ１０１との組み合わせが検索可能となっている。センサ情報テーブル７０７において、劣化状態が危険と判断され、且つ不具合による劣化と判定された充電バッテリを装着した履歴がある可搬型センサには不具合カウント数が１足される。また、平均電源オン時間が他の充電バッテリと比較して短くなっている充電バッテリを装着した履歴がある可搬型センサには不具合カウント数が１足される。その結果、センサ・バッテリ不具合判断部７０５は、不具合カウント数が所定の値を超え、且つ平均不具合カウント時間が所定の値より低くなった可搬型センサ７０２について何らかの不具合が発生していると判断する。なお、ステップＳ９０１は、第２の調査手段の処理例である。
【００４２】
ステップＳ９０２において、センサ・バッテリ不具合判断部７０５は、調査の結果、可搬型センサ７０２に不具合が生じているか否かを判定する。可搬型センサ７０２に不具合が生じている場合、処理はステップＳ９０３に移行する。一方、可搬型センサ７０２に不具合が生じていない場合、ステップＳ９０３をスキップして処理はステップＳ６３２に移行する。ステップＳ９０３において、画像表示部１１６は、サービスマンによる可搬型センサ７０２の点検を受けることを促す警告表示を行う。ステップＳ６３２〜Ｓ６３５において、第１の実施形態と同様の検査処理と検査情報テーブル１１５の更新処理が行われる。ステップＳ９０５において、センサ情報管理部７０６は、センサ情報テーブル７０７を更新する。センサ情報テーブル７０７が更新された後、処理はステップＳ６２５に戻り、再び次の検査へ向けて同様の処理が行われる。
【００４３】
次に、本発明の第３の実施形態について説明する。第３の実施形態に係る医用画像撮影システムは、第２の実施形態に係る医用画像撮影システムの構成とは、図７の１０１〜１１２、１１４、１１５、７０５〜７０７の構成が医用画像撮影装置７０３とは異なる装置上に構成される点に違いがある。また、バッテリ情報テーブル１１２には、第１及び第２の実施形態で説明した情報の他に、充電バッテリ１０１毎の販売会社の所在地が保存される。センサ情報テーブル７０７には、第１及び第２の実施形態で説明した情報の他に、可搬型センサ７０２毎の販売会社の所在地が保存される。充電バッテリ１０１毎の販売会社の所在地を管理する処理は、第３の管理手段の処理例であり、可搬型センサ７０２毎の販売会社の所在地を管理する処理は、第４の管理手段の処理例である。
【００４４】
図１０は、第３の実施形態に係る医用画像撮影システムの構成を示す図である。図１０において、充電バッテリ１０１及び可搬型センサ７０２は、図７に示す充電バッテリ１０１及び可搬型センサ７０２と同様の構成である。医用画像撮影装置１００１及びサーバシステム１００２は夫々、図７の送受信部１０９及び画像表示部１１６を備える。さらにサーバシステム１００２は、図７の１０１〜１１２、１１４、１１５、７０５〜７０７の構成を備える。また、サーバシステム１００２は、各販売会社１００３の通信装置とネットワークを通じて通信が可能であり、充電バッテリ１０１又は可搬型センサ７０２に不具合があると判断した場合、サービス要求通知（例えば、点検要求通知）を販売会社１００３の通信装置に対して通知する。また、サーバシステム１００２は、充電バッテリ１０１又は可搬型センサ７０２に不具合が生じていると判断した場合、バッテリ情報テーブル１１２又はセンサ情報テーブル７０７に保存されている販売会社の所在地を用いて、当該施設と所定の位置関係にある販売会社（例えば、当該施設に最も地理的に近い販売会社）を選択してサービス要求通知（例えば、点検要求通知）を送信する。また、バッテリ情報テーブル１１２及びセンサ情報テーブル７０７は、特定の通信装置からも参照可能である。従って、サービス要求通知を受信する前に販売会社側からも充電バッテリ１０１又は可搬型センサ７０２の稼働状況を参照することが可能であり、迅速な対応が可能となる。なお、上記のように、充電バッテリ１０１又は可搬型センサ７０２に不具合が生じた場合に該当する販売会社の通信装置に通知する処理は、第１の通知手段又は第２の通知手段の処理例である。
【００４５】
上述した実施形態においては、可搬型センサ７０２に充電バッテリ１０１を装着して通常ワークフロー通りに検査を行っていく中で、不具合の可能性があると判断された可搬型センサ７０２又は充電バッテリ１０１について通知を行う。これにより、オペレータが気付かないまま問題のある可搬型センサ７０２又は充電バッテリ１０１を使い続けるという問題を防ぐことが可能となる。また、不具合の可能性があると判断したタイミングで最寄りの販売会社１００３の通信装置に対して通知されるため、迅速なサービス対応が実現可能である。仮に、不具合が生じている可搬型センサ７０２又は充電バッテリ１０１を気付かないまま使用している場合、急速な劣化により、通常よりも多く充電が必要となり、撮影ワークフローが煩雑となってしまう。特に可搬型センサ７０２に不具合がある場合は、装着される充電バッテリ１０１に対して不都合が起きる可能性があり、一刻も早い対応が必要となる。このような状況において、第３の実施形態に係る医用画像撮影システムにおいては、可搬型センサ７０２又は充電バッテリ１０１に不具合があることを判断し、販売会社１００３の通信装置に対して通知することで上記要求に確実に答えることが可能となる。
【００４６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４７】
１０１：充電バッテリ、１０２、７０２：可搬型センサ、１０３、７０３：医用画像撮影装置、１０４：送受信部、１０５：充電情報管理部、１０６：送受信部、１０７：画像データ管理部、１０８：バッテリ情報取得部、１０９：送受信部、１１０：バッテリ情報管理部、１１１：電源オン時間カウント部、１１２：バッテリ情報テーブル、１１３：バッテリ不具合判断部、１１４：検査情報管理部、１１５：検査情報テーブル、１１６：画像表示部、７０４：センサ稼働情報管理部、７０５：センサ・バッテリ不具合判断部、７０６：センサ情報管理部、７０７：センサ情報テーブル
【図１】
0006004629.tif 000002
【図２】
0006004629.tif 000003
【図３】
0006004629.tif 000004
【図４】
0006004629.tif 000005
【図５】
0006004629.tif 000006
【図６】
0006004629.tif 000007
【図７】
0006004629.tif 000008
【図８】
0006004629.tif 000009
【図９】
0006004629.tif 000010
【図１０】
0006004629.tif 000011